(57)【要約】【課題】クラスタブロック内外で圧力差が生じることを抑制できる電動圧縮機を提供する。【解決手段】電動圧縮機は、接続端子５０を内部に収容する絶縁性のクラスタブロック６０と、電動モータ及びクラスタブロック６０を収容するモータ収容室を形成するハウジングとを備える。クラスタブロック６０は、接続端子５０を収容する端子収容室Ｓ５、及びモータ配線２７が挿通されるモータ配線挿通孔を有する。端子収容室Ｓ５は、モータ配線挿通孔を介してモータ収容室と連通している。クラスタブロック６０は、相線接続部２９ａを収容する相線収容室６７と、相線収容室６７と端子収容室Ｓ５とを連通する内部連通路８１とを有する。相線収容室６７とモータ収容室とは、内部連通路８１と端子収容室Ｓ５とモータ配線挿通孔を介してのみ連通している。【選択図】図３
2019178667.tif 000002
【特許請求の範囲】
【請求項１】
冷媒を圧縮する圧縮部と、
前記圧縮部を駆動するとともに複数相のコイルを有する電動モータと、
前記電動モータを駆動するモータ駆動回路と、
前記モータ駆動回路と電気的に接続された導電部材と、
前記複数相のコイルの各相から引き出されたモータ配線と、
前記複数相のコイルの各相から引き出された相線が互いに電気的に接続された相線接続部と、
前記モータ配線と前記導電部材とを電気的に接続する接続端子と、
前記接続端子を内部に収容する絶縁性のクラスタブロックと、
前記電動モータと前記クラスタブロックとを収容するモータ収容室を形成するハウジングと、
を備え、
前記クラスタブロックは、前記接続端子を収容する端子収容室と、前記モータ配線が挿通されるモータ配線挿通孔とを有し、
前記端子収容室は、前記モータ配線挿通孔を介して前記モータ収容室と連通している電動圧縮機であって、
前記クラスタブロックは、前記相線接続部を収容する相線収容室と、前記相線収容室と前記端子収容室とを連通する内部連通路とを有し、
前記相線収容室と前記モータ収容室とは、前記内部連通路と前記端子収容室と前記モータ配線挿通孔とを介してのみ連通していることを特徴とする電動圧縮機。
【請求項２】
前記クラスタブロックは、前記接続端子を収容する端子収容孔を有するケース部材と、前記端子収容孔の開口部を閉塞するよう前記開口部に嵌合しつつ前記端子収容室を形成する蓋部材を備え、
前記モータ配線挿通孔は、前記端子収容孔の内周面と前記蓋部材の外周面との間に形成される請求項１に記載の電動圧縮機。
【請求項３】
前記モータ配線を覆うとともに前記モータ配線挿通孔に挿嵌される絶縁性のチューブ部材を備え、
前記端子収容室は、前記チューブ部材の内側と前記モータ配線との間隙を介して前記モータ収容室と連通している請求項１又は請求項２に記載の電動圧縮機。
【発明の詳細な説明】
【技術分野】
【０００１】
本発明は、電動圧縮機に関する。
【背景技術】
【０００２】
特許文献１に開示の電動圧縮機は、冷媒を圧縮する圧縮部と、圧縮部を駆動するとともに複数相のコイルを有する電動モータと、電動モータを駆動するモータ駆動回路と、モータ駆動回路と電気的に接続された導電部材と、複数相のコイルの各相から引き出されたモータ配線と、複数相のコイルの各相から引き出された相線が互いに電気的に接続された相線接続部とを備える。また、特許文献１に開示の電動圧縮機は、モータ配線と導電部材とを電気的に接続する接続端子と、接続端子を内部に収容する絶縁性のクラスタブロックと、電動モータ及びクラスタブロックを収容するモータ収容室を形成するハウジングとを備える。クラスタブロックは、接続端子が収容される端子収容室と、相線の束が収容される相線収容室とを有する。相線収容室は、ゴム栓によって封止され、モータ収容室と隔離されている。
【先行技術文献】
【特許文献】
【０００３】
【特許文献１】特開２０１３−０７２３３８号公報
【発明の概要】
【発明が解決しようとする課題】
【０００４】
このような電動圧縮機では、ゴム栓によって封止された相線収容室内の圧力はほぼ一定であるのに対し、モータ収容室内の圧力は変動する。このため、相線収容室内とモータ収容室内とで圧力差が生じ、クラスタブロックが破損する虞がある。
【０００５】
本発明は、上記課題を解決するためになされたものであり、その目的は、クラスタブロック内外で圧力差が生じることを抑制できる電動圧縮機を提供することにある。
【課題を解決するための手段】
【０００６】
上記問題点を解決するための電動圧縮機は、冷媒を圧縮する圧縮部と、前記圧縮部を駆動するとともに複数相のコイルを有する電動モータと、前記電動モータを駆動するモータ駆動回路と、前記モータ駆動回路と電気的に接続された導電部材と、前記複数相のコイルの各相から引き出されたモータ配線と、前記複数相のコイルの各相から引き出された相線が互いに電気的に接続された相線接続部と、前記モータ配線と前記導電部材とを電気的に接続する接続端子と、前記接続端子を内部に収容する絶縁性のクラスタブロックと、前記電動モータと前記クラスタブロックとを収容するモータ収容室を形成するハウジングと、を備え、前記クラスタブロックは、前記接続端子を収容する端子収容室と、前記モータ配線が挿通されるモータ配線挿通孔とを有し、前記端子収容室は、前記モータ配線挿通孔を介して前記モータ収容室と連通している電動圧縮機であって、前記クラスタブロックは、前記相線接続部を収容する相線収容室と、前記相線収容室と前記端子収容室とを連通する内部連通路とを有し、前記相線収容室と前記モータ収容室とは、前記内部連通路と前記端子収容室と前記モータ配線挿通孔とを介してのみ連通していることを要旨とする。
【０００７】
これによれば、相線収容室内の圧力は、内部連通路、端子収容室、及びモータ配線挿通孔を介して、モータ収容室内の圧力と均一化される。よって、クラスタブロック内外で圧力差が生じることを抑制できる。その結果、クラスタブロック内外の圧力差によって生じるクラスタブロックの破損を抑制できる。
【０００８】
また、上記電動圧縮機について、前記クラスタブロックは、前記接続端子を収容する端子収容孔を有するケース部材と、前記端子収容孔の開口部を閉塞するよう前記開口部に嵌合しつつ前記端子収容室を形成する蓋部材を備え、前記モータ配線挿通孔は、前記端子収容孔の内周面と前記蓋部材の外周面との間に形成されるのが好ましい。
【０００９】
潤滑油を含んだ冷媒が端子収容室内に侵入すると、潤滑油は接続端子とハウジングとを導通させる導体となり、接続端子とハウジングとの間の絶縁を確保できない虞がある。これに対し、端子収容孔の開口部は蓋部材によって閉塞されているため、潤滑油を含んだ冷媒が端子収容室内に侵入し難くなる。よって、接続端子とハウジングとの間の絶縁が確保される。
【００１０】
また、モータ配線挿通孔は、ケース部材と蓋部材とを組み付けることで形成される。このため、例えば、蓋部材を貫通する貫通孔をモータ配線挿通孔とする場合と比較して、モータ配線挿通孔を容易に形成できるとともに、モータ配線挿通孔に対してモータ配線を挿通しやすい。
【００１１】
また、上記電動圧縮機について、前記モータ配線を覆うとともに前記モータ配線挿通孔に挿嵌される絶縁性のチューブ部材を備え、前記端子収容室は、前記チューブ部材の内側と前記モータ配線との間隙を介して前記モータ収容室と連通しているのが好ましい。
【００１２】
潤滑油を含んだ冷媒がモータ配線挿通孔を介して端子収容室内に侵入すると、潤滑油は、接続端子とハウジングとを導通させる導体となり、接続端子とハウジングとの間の絶縁を確保できない虞がある。一般に、導体の抵抗は、導体の長さに比例することが知られている。すなわち、導体の長さを長くするほど、導体の抵抗は小さくなる。このため、潤滑油を介して接続端子とハウジングとが導通する距離（接続端子とハウジングとの絶縁距離）を長くするほど、接続端子とハウジングとの絶縁性を高めることができる。
【００１３】
チューブ部材が設けられていない構成では、モータ収容室内を流れる冷媒は、モータ配線挿通孔とモータ配線との間隙を介して端子収容室内に侵入する。一方、チューブ部材が設けられた構成では、モータ収容室内を流れる冷媒は、チューブ部材の内側とモータ配線との間隙を介して端子収容室内に侵入する。チューブ部材を設けることによって、チューブ部材を設けない場合と比較して、接続端子とハウジングとの絶縁距離が長くなる。よって、接続端子とハウジングとの絶縁性を高めることができる。
【発明の効果】
【００１４】
本発明によれば、クラスタブロック内外で圧力差が生じることを抑制できる。
【図面の簡単な説明】
【００１５】
【図１】実施形態の電動圧縮機の側断面図。
【図２】コネクタの分解斜視図。
【図３】コネクタの断面図。
【図４】カバー部材の正面図。
【図５】カバー部材及び蓋部材の正面図。
【図６】コネクタの斜視図。
【発明を実施するための形態】
【００１６】
以下、電動圧縮機を具体化した一実施形態を図１〜図６にしたがって説明する。
図１に示すように、電動圧縮機１０のハウジング１１は、一端（図１の左端）に開口１２ａが形成された有底筒状をなすモータハウジング１２と、モータハウジング１２の一端
に連結された有底筒状をなす吐出ハウジング１３と、を有している。モータハウジング１２の底壁１２１には、有底筒状のインバータカバー１４が取り付けられている。モータハウジング１２と吐出ハウジング１３との間には吐出室Ｓ１が区画されている。吐出ハウジング１３の底壁には吐出ポート１５が形成されており、吐出ポート１５には図示しない外部冷媒回路が接続されている。モータハウジング１２の周壁１２２には図示しない吸入ポートが形成されており、吸入ポートには外部冷媒回路が接続されている。
【００１７】
モータハウジング１２内には、回転軸１６と、冷媒を圧縮する圧縮部１７と、圧縮部１７を駆動する電動モータ１８とが収容されている。よって、モータハウジング１２は、電動モータ１８を収容するモータ収容室Ｓ３を形成している。電動モータ１８は、回転軸１６を駆動させる。圧縮部１７は、回転軸１６が回転することにより駆動する。電動モータ１８は、圧縮部１７よりもモータハウジング１２の底壁１２１（図１の右側）寄りに配置されている。
【００１８】
モータ収容室Ｓ３内において、圧縮部１７と電動モータ１８との間には軸支部材１９が設けられている。軸支部材１９の中央部には、回転軸１６の一端部が挿通される挿通孔１９ａが形成されている。挿通孔１９ａと回転軸１６の一端部との間にはラジアルベアリング１６ａが設けられている。回転軸１６の一端部は、ラジアルベアリング１６ａを介して軸支部材１９に回転可能に支持されている。
【００１９】
モータハウジング１２の底壁１２１には、軸受部１２１ａが凹設されている。軸受部１２１ａの内側には回転軸１６の他端部が挿入されている。軸受部１２１ａと回転軸１６の他端部との間にはラジアルベアリング１６ｂが設けられている。回転軸１６の他端部は、ラジアルベアリング１６ｂを介して軸受部１２１ａに回転可能に支持されている。
【００２０】
また、モータハウジング１２の底壁１２１とインバータカバー１４とによって収容空間Ｓ２が区画されている。収容空間Ｓ２内において、底壁１２１におけるインバータカバー１４側の外面にはモータ駆動回路２０（図１において二点鎖線で示す）が取り付けられている。よって、本実施形態では、圧縮部１７、電動モータ１８、及びモータ駆動回路２０がこの順序で回転軸１６の軸線Ｌの延びる方向（軸方向）に沿って並んで配置されている。
【００２１】
圧縮部１７は、モータ収容室Ｓ３内に固定された固定スクロール１７ａと、固定スクロール１７ａに対向配置された可動スクロール１７ｂとを備える。固定スクロール１７ａと可動スクロール１７ｂとの間には容積変更可能な圧縮室Ｓ４が区画形成されている。圧縮室Ｓ４の容積変更により圧縮された冷媒は、吐出室Ｓ１に吐出される。モータ収容室Ｓ３、圧縮室Ｓ４、及び吐出室Ｓ１を流れる冷媒には、電動圧縮機１０内の摺動部位の潤滑（本実施形態では、例えば、固定スクロール１７と可動スクロール１７ｂとの潤滑）を良好とするための潤滑油が含まれている。
【００２２】
電動モータ１８は、回転軸１６と一体的に回転するロータ２１（回転子）と、ロータ２１を取り囲むようにモータハウジング１２の内周面に固定されたステータ２２（固定子）とから構成されている。
【００２３】
ロータ２１は、円筒形状をなすロータコア２３を有するとともに、ロータコア２３は回転軸１６に止着されている。ロータコア２３内には複数の永久磁石２４が埋設されているとともに、各永久磁石２４は、ロータコア２３の周方向に等ピッチに設けられている。ステータ２２は、モータハウジング１２の内周面に固定された環状のステータコア２５と、ステータコア２５に設けられるＵ相、Ｖ相、Ｗ相のコイル２６とを有している。
【００２４】
ステータコア２５の一端面２５１からは各相の第１コイルエンド２６１が突出している。ステータコア２５の他端面２５２からは各相の第２コイルエンド２６２が突出している。第１コイルエンド２６１は、圧縮部１７側（回転軸１６の軸方向一端側）に位置するとともに、第２コイルエンド２６２は、モータ駆動回路２０側（回転軸１６の軸方向他端側）に位置している。
【００２５】
各相の第１コイルエンド２６１からは、モータ配線２７と相線２８とが２本ずつ引き出されている。Ｕ相、Ｖ相、Ｗ相のコイル２６は、低電圧化を図るために、２本の導線が巻回されて形成された二重線構造になっている。なお、図１では、例えば、Ｕ相の２本のモータ配線２７及びＵ相の２本の相線２８のみを図示している。各モータ配線２７及び各相線２８は、第１コイルエンド２６１から引き出されたコイル２６の導線が絶縁被膜によって被覆された状態で第１コイルエンド２６１から引き出されている。
【００２６】
図２に示すように、Ｕ相、Ｖ相、Ｗ相のコイル２６に対応する各相線２８は、相線束２９として束ねられている。各相線２８の先端部では、絶縁被覆が除去された導線が露出している。相線束２９は、各相線２８の先端部が互いに電気的に接続された相線接続部２９ａ（中性点）を有する。
【００２７】
図１に示すように、モータハウジング１２の底壁１２１には貫通孔１２１ｂが形成されている。貫通孔１２１ｂには気密端子３１が配設されている。気密端子３１は、Ｕ相、Ｖ相、Ｗ相のコイル２６に対応して３つの導電部材３２（図１では１つのみ図示）を有している。各導電部材３２は、直線状に延びる円柱状の金属端子である。各導電部材３２は、貫通孔１２１ｂに挿通されるとともに一端がケーブル２０ａを介してモータ駆動回路２０に電気的に接続されている。各導電部材３２の他端は、収容空間Ｓ２から貫通孔１２１ｂを介してモータ収容室Ｓ３内に突出している。また、気密端子３１は、各導電部材３２を底壁１２１に対し絶縁しつつ固定するガラス製の３つの絶縁部材３３（図１では１つのみ図示）を有している。
【００２８】
モータ収容室Ｓ３には、コネクタ４０が収容されている。コネクタ４０は、モータ配線２７と導電部材３２とを接続する。コネクタ４０は、回転軸１６の径方向においてステータコア２５及び第２コイルエンド２６２の外周側に配置されている。
【００２９】
図２に示すように、コネクタ４０は、Ｕ相、Ｖ相、Ｗ相のコイル２６に対応する３つの接続端子５０と、３つの接続端子５０を収容する絶縁性のクラスタブロック６０と、を備えている。
【００３０】
各接続端子５０はそれぞれ、モータ配線２７と電気的に接続される第１接続部５１を長手方向の一端側に有し、導電部材３２と電気的に接続される第２接続部５２を長手方向の他端側に有している。第１接続部５１は、直線状に延びている。第１接続部５１には、モータ配線２７の先端部が接続されている。各相の２本のモータ配線２７において、第１接続部５１側の部分は、円筒状の絶縁性のチューブ部材３０に挿通され、チューブ部材３０によって覆われている。また、各モータ配線２７の先端部では、チューブ部材３０によって覆われず、かつ絶縁被膜が除去された導線が露出している。チューブ部材３０の内径は、モータ配線２７の２本分の径よりも大きい。よって、モータ配線２７とチューブ部材３０の内周面３０ａとの間には、間隙が形成されている。
【００３１】
各接続端子５０は、チューブ部材３０における第１接続部５１側の端部と、２本のモータ配線２７とをかしめるかしめ部５３を有している。かしめ部５３は、第１接続部５１におけるチューブ部材３０側の一端部からチューブ部材３０を囲むように延設されている。モータ配線２７は、チューブ部材３０に挿通された状態でかしめ部５３によってかしめら
れることにより、各接続端子５０に機械的に接続されている。第２接続部５２は、第１接続部５１の他端部に連続する略長四角筒状である。導電部材３２の他端は、第２接続部５２の四角筒の内側に挿入される。第２接続部５２の四角筒の軸心方向は第１接続部５１の長手方向に一致する。よって、接続端子５０の第２接続部５２に対する導電部材３２の挿入方向は、第１接続部５１の長手方向と一致する。
【００３２】
図２及び図３に示すように、クラスタブロック６０は、ケース部材６１と、ケース部材６１に組み付けられる蓋部材７１と、を備えている。
図２に示すように、ケース部材６１は、底壁６２と、底壁６２の縁部から立設する側壁６３とによって形成された扁平四角箱状である。ケース部材６１は、端子収容孔６４を有している。図３に示すように、端子収容孔６４には、各接続端子５０と、チューブ部材３０における第１接続部５１側の一部と、２本のモータ配線２７における第１接続部５１側の一部とが収容されている。端子収容孔６４は、３つの挿入孔６４ａと、３つの挿入孔６４ａと連なる開口部６４ｂとを有している。開口部６４ｂは、側壁６３における底壁６２側とは反対側に開口している。各挿入孔６４ａは、ケース部材６１内に形成された区画壁６５によって他の挿入孔６４ａと区画されている。各挿入孔６４ａは、軸心が底壁６２からの側壁６３の立設方向に沿って延びる細長孔状である。各挿入孔６４ａの軸心方向は、接続端子５０の第１接続部５１の長手方向と一致する。
【００３３】
図４に示すように、３つの挿入孔６４ａは、並べて配置されている。よって、端子収容孔６４に収容される各接続端子５０の第２接続部５２も並んでいる。ケース部材６１の正面視で、各挿入孔６４ａは略四角形状である。各挿入孔６４ａの長手方向は各第２接続部５２の四角筒の長手方向と一致し、各挿入孔６４ａの短手方向は各第２接続部５２の四角筒の短手方向と一致している。また、各挿入孔６４ａの長手方向は、ケース部材６１の長辺に対して傾斜している。
【００３４】
ケース部材６１の底壁６２には、各挿入孔６４ａに連通する円孔状の貫通孔６２ａが形成されている。各貫通孔６２ａは、各貫通孔６２ａの軸心方向から見たときに、各第２接続部５２の四角筒の内側に位置している。また、図２及び図３に示すように、ケース部材６１の底壁６２の外面には、円筒状のガイド部６２ｂが３つ突設されている。各ガイド部６２ｂの内側は各貫通孔６２ａに連通している。各ガイド部６２ｂの軸心と各貫通孔６２ａの軸心とは一致している。そして、各導電部材３２の他端は、各ガイド部６２ｂの内側、及び各貫通孔６２ａを介して各接続端子５０の第２接続部５２の四角筒の内側に挿嵌されている。これにより、各導電部材３２と各接続端子５０とが電気的に接続されている。したがって、各ガイド部６２ｂの内側及び各貫通孔６２ａは、各導電部材３２が挿通される導電部材挿通孔６６を構成している。よって、ケース部材６１は、導電部材挿通孔６６を有している。
【００３５】
図３及び図４に示すように、ケース部材６１は、内部に有底円筒状の相線収容室６７を有している。相線収容室６７には、相線束２９の相線接続部２９ａが収容されている。相線収容室６７は、軸心が底壁６２からの側壁６３の立設方向に沿って延びる細長孔状である。相線収容室６７の軸心方向は、挿入孔６４ａの軸心方向と一致している。相線収容室６７は、区画壁６５によって各挿入孔６４ａと区画されている。相線収容室６７は、並んで配置されている３つの挿入孔６４ａのうち中央に位置する挿入孔６４ａの長手、及び一端側に位置する挿入孔６４ａの短手のそれぞれと区画壁６５を介して隣り合っている。相線収容室６７は、端子収容孔６４の開口部６４ｂと連なっている。
【００３６】
区画壁６５は、各挿入孔６４ａ及び相線収容室６７が開口する端面６５ａに溝６８を有している。溝６８の一端は、３つの端子収容孔６４のうち中央に位置する端子収容孔６４と連通し、溝６８の他端は、相線収容室６７と連通している。
【００３７】
各接続端子５０は、第２接続部５２が第１接続部５１よりも導電部材挿通孔６６側に位置するように開口部６４ｂを介して各挿入孔６４ａにそれぞれ収容されている。また、相線束２９は、相線接続部２９ａが導電部材挿通孔６６側に位置するように開口部６４ｂを介して相線収容室６７に収容されている。
【００３８】
ケース部材６１の４つの側壁のうち１つの側壁６３の外面は、ケース部材６１の内部に向けて凹状に湾曲する湾曲面６３ｂである。湾曲面６３ｂは、ステータコア２５の外周面に沿って延びる面である。本実施形態のコネクタ４０は、湾曲面６３ｂがステータコア２５の外周面に沿うようにモータ収容室Ｓ３内に配置される。
【００３９】
蓋部材７１は、板状の蓋部７２を有している。蓋部７２の外周面７２ａは、開口部６４ｂを形成する側壁６３の内周面６３ａに沿って延びている。図３に示すように、蓋部材７１は、蓋部７２がケース部材６１の開口部６４ｂに嵌合されることにより、端子収容孔６４を閉塞しつつ端子収容室Ｓ５を形成している。蓋部７２の外周面７２ａは、開口部６４ｂを形成する側壁６３の内周面６３ａと対向している。また、蓋部７２における端子収容孔６４に面する第１端面７２ｂは、区画壁６５における開口部６４ｂ側の端面６５ａと対向している。蓋部７２の厚みは、区画壁６５における開口部６４ｂ側の端面６５ａと側壁６３における開口部６４ｂ側の端面６３ｃとの距離よりも短い。よって、蓋部７２においてクラスタブロック６０の外部に面する第２端面７２ｃは、側壁６３の端面６３ｃよりも挿入孔６４ａ側に位置している。蓋部７２は、蓋部７２の外周面７２ａに凹設された３つのモータ配線挿入溝７３と、相線束挿入凹部７４とを有している。
【００４０】
図３及び図５に示すように、クラスタブロック６０において、区画壁６５に設けられた溝６８は、蓋部７２の第１端面７２ｂによって閉じられている。溝６８及び蓋部７２の第１端面７２ｂによって、内部連通路８１が構成されている。端子収容孔６４の挿入孔６４ａと相線収容室６７とは、クラスタブロック６０の内部において内部連通路８１によって連通している。
【００４１】
また、各モータ配線挿入溝７３及び端子収容孔６４の開口部６４ｂを形成する側壁６３の内周面６３ａは、２本のモータ配線２７が挿通されたチューブ部材３０が挿嵌されるモータ配線挿通孔８２を構成している。モータ配線挿通孔８２は、端子収容孔６４の各挿入孔６４ａと連なっている。モータ配線挿通孔８２には、チューブ部材３０が貫通している。チューブ部材３０における第１接続部５１側の端部は、端子収容室Ｓ５内に位置し、反対側の端部は、モータ収容室Ｓ３に位置している。
【００４２】
図３に示すように、端子収容室Ｓ５は、モータ配線挿通孔８２を介して図１に示すモータ収容室Ｓ３と連通している。本実施形態では、端子収容室Ｓ５は、チューブ部材３０の内周面３０ａと２本のモータ配線２７との間に設けられた間隙を介してモータ収容室Ｓ３と連通している。よって、チューブ部材３０の内周面３０ａと２本のモータ配線２７との間に設けられた間隙は、クラスタブロック６０内外を連通させる外部連通路８３を構成している。また、図５に示すように、相線束挿入凹部７４及び開口部６４ｂを形成する側壁６３の内周面６３ａは、相線束２９が挿通される相線束挿通部８４を構成している。
【００４３】
図２に示すように、蓋部材７１は、蓋部７２の第２端面７２ｃから突出する突出部７５を有している。突出部７５の外周面７５ａは、蓋部７２の外周面７２ａよりも一回り内側に位置している。よって、ケース部材６１の開口部６４ｂを形成する側壁６３の内周面６３ａと蓋部７２の突出部７５の外周面７５ａとの間には間隙が形成されている。
【００４４】
図６に示すように、開口部６４ｂを形成する側壁６３の内周面６３ａと突出部７５の外
周面７５ａとの間には、樹脂９０が充填されている。樹脂９０は、例えば、接着剤である。そして、樹脂９０によって、開口部６４ｂを形成する側壁６３の内周面６３ａと突出部７５の外周面７５ａとの間が封止されるとともに、開口部６４ｂを形成する側壁６３の内周面６３ａと突出部７５の外周面７５ａとが樹脂９０を介して接着されている。また、樹脂９０は、相線束２９と相線束挿通部８４の内周面との間を介して相線収容室６７内にも流れ込む。これにより、相線束挿通部８４が封止されるとともに、相線束２９とクラスタブロック６０とが樹脂９０を介して接着されている。よって、相線収容室６７は、内部連通路８１と端子収容室Ｓ５とモータ配線挿通孔８２とを介してのみ連通している。
【００４５】
上記構成の電動圧縮機１０では、モータ駆動回路２０から各ケーブル２０ａ、各導電部材３２、各接続端子５０、及び各モータ配線２７を介して電動モータ１８に電力が供給されると、電動モータ１８が駆動し、電動モータ１８の駆動に伴う回転軸１６の回転によって、圧縮部１７が駆動して冷媒が圧縮部１７により圧縮される。
【００４６】
本実施形態の作用及び効果について説明する。
（１）端子収容室Ｓ５と相線収容室６７とは、内部連通路８１によって連通している。このため、端子収容室Ｓ５内の圧力と樹脂９０によって封止された相線収容室６７内の圧力とが均一化される。また、端子収容室Ｓ５とモータ収容室Ｓ３とは、外部連通路８３によって連通している。このため、端子収容室Ｓ５内の圧力とモータ収容室Ｓ３内の圧力とが均一化される。すなわち、相線収容室６７内の圧力は、内部連通路８１、端子収容室Ｓ５、及び外部連通路８３を介して、モータ収容室Ｓ３の圧力と均一化される。よって、クラスタブロック６０内外で圧力差が生じることを抑制できる。その結果、クラスタブロック６０内外の圧力差によって生じるクラスタブロック６０の破損を抑制できる。
【００４７】
（２）潤滑油を含んだ冷媒が端子収容室Ｓ５内に侵入すると、潤滑油は、接続端子５０及びモータ配線２７の先端部と、モータハウジング１２とを導通させる導体となり得る。よって、接続端子５０及びモータ配線２７と、モータハウジング１２との間の絶縁を確保できない虞がある。これに対し、端子収容孔６４の開口部６４ｂは、蓋部７２によって閉塞されるため、潤滑油を含んだ冷媒が端子収容室Ｓ５内に侵入し難くなる。よって、接続端子５０及びモータ配線２７の先端部と、モータハウジング１２との間の絶縁を確保できる。
【００４８】
また、モータ配線挿通孔８２は、ケース部材６１と蓋部材７１とを組み付けることで形成される。このため、例えば、蓋部７２を貫通する貫通孔をモータ配線挿通孔８２とする場合と比較して、モータ配線挿通孔８２を容易に形成できるとともに、モータ配線挿通孔８２に対してチューブ部材３０を挿通しやすい。
【００４９】
（３）潤滑油を含んだ冷媒は、外部連通路８３を介してクラスタブロック６０内に侵入することがある。潤滑油は、接続端子５０及びモータ配線２７の先端部と、モータハウジング１２とを導通させる導体となり得る。よって、接続端子５０及びモータ配線２７の先端部と、モータハウジング１２との間の絶縁を確保できない虞がある。一般に、導体の抵抗は、導体の長さに比例することが知られている。すなわち、導体の長さを長くするほど、導体の抵抗は小さくなる。このため、潤滑油を介して接続端子５０とモータハウジング１２とが導通する距離（接続端子５０とモータハウジング１２との絶縁距離）を長くするほど、接続端子５０とモータハウジング１２との絶縁性を高めることができる。接続端子５０とモータハウジング１２との絶縁距離は、外部連通路８３と対応している。
【００５０】
チューブ部材３０を省略し、モータ配線挿通孔８２の内周面とモータ配線２７との間の間隙を外部連通路８３とする場合、潤滑油が外部連通路８３を通過する距離は、蓋部７２の厚みと一致する。これに対し、本実施形態では、チューブ部材３０の内周面３０ａとモ
ータ配線２７との間の間隙を外部連通路８３としている。このため、潤滑油が外部連通路８３を通過する距離は、チューブ部材３０の長さと一致する。チューブ部材３０の長さは、蓋部７２の厚みよりも長い。よって、外部連通路８３を通過する潤滑油を含む冷媒の抵抗は、モータ配線挿通孔８２の内周面とモータ配線２７との間の間隙を外部連通路８３とする場合よりも高くなる。その結果、接続端子５０及びモータ配線２７の先端部と、モータハウジング１２との間の絶縁性を高めることができる。
【００５１】
（４）例えば、ケース部材６１の側壁６３に貫通孔を形成することで、相線収容室６７とモータ収容室Ｓ３とを連通させることも考えられるが、この場合、貫通孔を介して潤滑油を含んだ冷媒が相線収容室６７に侵入する。すると、潤滑油は、相線束２９の相線接続部２９ａとモータハウジング１２とを導通させる導体となり得る。よって、相線束２９の相線接続部２９ａとモータハウジング１２との間の絶縁を確保できない虞がある。
【００５２】
本実施形態では、相線収容室６７は、内部連通路８１、端子収容室Ｓ５、及び外部連通路８３を介してモータ収容室Ｓ３と連通している。このため、潤滑油を含んだ冷媒がクラスタブロック６０の内部に侵入し得る主な経路は、外部連通路８３のみである。よって、相線束２９の相線接続部２９ａとモータハウジング１２との間の絶縁性を高めることができる。
【００５３】
本実施形態は、以下のように変更して実施することができる。本実施形態及び以下の変更例は、技術的に矛盾しない範囲で互いに組み合わせて実施することができる。
○  導電部材挿通孔６６は、ケース部材６１の側壁６３に設けられてもよい。この場合、第２接続部５２の四角筒の軸心方向は、第１接続部５１の長手方向と直交する。すなわち、接続端子５０の第２接続部５２に対する導電部材３２の挿入方向は、第１接続部５１の長手方向と直交する。
【００５４】
○  クラスタブロック６０のケース部材６１内における各挿入孔６４ａ及び相線収容室６７の配置態様は適宜変更してよい。例えば、各挿入孔６４ａ及び相線収容室６７は、一直線上に並んで配置されてもよい。
【００５５】
○  蓋部材７１は、突出部７５を省略した構成であってもよい。
○  内部連通路８１の構成は、適宜変更してもよい。内部連通路８１は、例えば、区画壁６５における端子収容室Ｓ５と相線収容室６７とを区画する部分を貫通する貫通孔であってもよい。また、内部連通路８１は、並んで配置されている３つの挿入孔６４ａのうち端側に位置する挿入孔６４ａと相線収容室６７とを連通させてもよい。また、内部連通路８１の個数は１つに限定されない。例えば、各挿入孔６４ａと相線収容室６７とが連通するように３つの内部連通路８１を設けてもよい。
【００５６】
○  各モータ配線挿通孔８２の構成は、適宜変更してもよい。各モータ配線挿通孔８２は、例えば、蓋部７２を貫通する貫通孔であってもよい。
○  相線束挿通部８４の構成は、適宜変更してもよい。相線束挿通部８４は、例えば、蓋部７２を貫通する貫通孔であってもよい。
【００５７】
○  チューブ部材３０を省略してもよい。この場合、外部連通路８３としてモータ配線挿通孔８２の内周面とモータ配線２７との間に間隙を設ける。
○  コイル２６の相数を変更してよい。
【００５８】
○  コイル２６を形成する導線の本数は、１本でもよいし、３本以上でもよい。
○  １本のチューブ部材３０に挿通されるモータ配線２７の本数は、コイル２６を形成する導線の本数に応じて変更してよい。ただし、チューブ部材３０の内径、及びチューブ
部材３０に挿通されるモータ配線２７の外径は、チューブ部材３０の内周面３０ａとモータ配線２７との間に間隙が設けられるような径とする。
【００５９】
○  ケース部材６１の端子収容孔６４の挿入孔６４ａの数は、コイル２６の相数に応じて適宜変更してよい。
○  ケース部材６１は、区画壁６５を省略した構成であってもよい。この場合、３つの挿入孔６４ａ及び開口部６４ｂは一体化され、端子収容孔６４は、３つの接続端子５０が収容される１つの空間となる。
【００６０】
○  ケース部材６１の導電部材挿通孔６６の数は、コイル２６の相数に応じて変更してよい。
○  クラスタブロック６０のモータ配線挿通孔８２の数は、コイル２６の相数に応じて適宜変更してよい。
【００６１】
○  圧縮部１７は、固定スクロール１７ａと可動スクロール１７ｂとで構成されるタイプに限らず、例えば、ピストンタイプやベーンタイプなどに変更してもよい。
【符号の説明】
【００６２】
１０…電動圧縮機、１１…ハウジング、１７…圧縮部、１８…電動モータ、２０…モータ駆動回路、２６…コイル、２７…モータ配線、２８…相線、２９ａ…相線接続部、３０…チューブ部材、３２…導電部材、５０…接続端子、６０…クラスタブロック、６１…ケース部材、６４…端子収容孔、６４ｂ…開口部、６７…相線収容室、７１…蓋部材、８１…内部連通路、８２…モータ配線挿通孔、Ｓ３…モータ収容室、Ｓ５…端子収容室。
【図１】
2019178667.tif 000003
【図２】
2019178667.tif 000004
【図３】
2019178667.tif 000005
【図４】
2019178667.tif 000006
【図５】
2019178667.tif 000007
【図６】
2019178667.tif 000008